(57)【要約】【課題】鼻腔から鼻水や鼻血が垂れるのを効果的に抑制することができるとともに脱落しにくくすることができる鼻栓用キャップおよび鼻栓を提供する。【解決手段】鼻栓１は、鼻栓用キャップ３と、鼻栓用キャップ３に先立って鼻腔内に挿入されるかつ液体吸収性を有する吸収体２とを具備する。ここで、鼻栓用キャップ３は、鼻腔内に装着されるかつ弾性材料からなる鼻栓用キャップであって、平面形状が半楕円形である平板状のキャップ本体３ａと、キャップ本体３ａの外縁の一部から延びた少なくとも１つの延出部３ｂとを備える。【選択図】  図２
2007082951.tif 000002
【特許請求の範囲】
【請求項１】
鼻腔内に装着される、かつ、弾性材料からなる鼻栓用キャップであって、
平板状のキャップ本体と、
該キャップ本体の外縁の一部から延びた少なくとも１つの延出部と、
を備えることを特徴とする、鼻栓用キャップ。
【請求項２】
前記キャップ本体の平面形状が半楕円形であることを特徴とする、請求項１記載の鼻栓用キャップ。
【請求項３】
前記延出部の厚さが、前記キャップ本体の厚さよりも薄いことを特徴とする、請求項１または２記載の鼻栓用キャップ。
【請求項４】
前記キャップ本体の裏面に形成された摘み部をさらに備えることを特徴とする、請求項１乃至３いずれかに記載の鼻栓用キャップ。
【請求項５】
前記キャップ本体に、該キャップ本体の厚さ方向に貫通する貫通孔が形成されていることを特徴とする、請求項１乃至３いずれかに記載の鼻栓用キャップ。
【請求項６】
前記キャップ本体の表面に突起が形成されていることを特徴とする、請求項１乃至４いずれかに記載の鼻栓用キャップ。
【請求項７】
前記キャップ本体の表面に凹凸が形成されていることを特徴とする、請求項１乃至４いずれかに記載の鼻栓用キャップ。
【請求項８】
請求項１乃至７いずれかに記載の鼻栓用キャップと、
該鼻栓用キャップに先立って鼻腔内に挿入される、かつ、液体吸収性を有する吸収体と、
を具備することを特徴とする、鼻栓。
【発明の詳細な説明】
【技術分野】
【０００１】
本発明は、鼻栓用キャップおよび鼻栓に関し、特に、鼻水や鼻血が垂れないように鼻腔内に装着するのに好適な鼻栓用キャップおよび鼻栓に関する。
【背景技術】
【０００２】
花粉症患者は、花粉が飛来する時期になると、花粉が鼻腔内の粘膜を刺激してくしゃみや鼻水が止まらなくなるという症状が出る。マスクを装着することにより、その症状はある程度緩和できるが、それでも十分ではないのが現状である。
【０００３】
そこで、マスクではなく、鼻腔を直接塞ぐ鼻栓が提案されている。その種の鼻栓として、下記の特許文献１には、鼻腔内に装着される一対の本体部と、これら本体部間を接続する接続部とを有する鼻栓が開示されている。この鼻栓では、本体部は、鼻腔内に挿入される部分であり、円形断面を有している。また、接続部の鼻腔への挿入側の面には接着層が設けられている。本体部を鼻腔内に挿入し、接着層により接続部を鼻中隔に接着することで、鼻栓は装着者の鼻に固定される。本体部は、不織布および吸水性ポリマーで構成されており、本体部を鼻腔内に挿入保持することによって、分泌された鼻水を本体部で吸収できるようになっている。
【特許文献１】特開２００４−１２１６６０号公報
【発明の開示】
【発明が解決しようとする課題】
【０００４】
しかしながら、特許文献１に開示された鼻栓では、本体部は断面が円形であるが、実際の鼻腔は、鼻先に大鼻翼軟骨により生じる窪みがある。この窪みによって、本体部と鼻腔との間に隙間が生じ、結果的にはこの隙間から鼻水が垂れてしまう。この窪みを考慮して本体の断面形状を設計することも考えられるが、鼻腔の大きさや形状は人によって様々であり、これに対応するためには、互いに大きさや形状の異なる多数種の本体部を用意しなければならない。
【０００５】
また、特許文献１に開示された鼻栓は、接続部に設けられた接着層を用いて鼻に固定するものであるので、使用中に脱落してしまうおそれがある。しかも、上記のように、本体部は鼻水が垂れ易く、垂れた鼻水が接着層に付着すると、接着性能が低下して脱落する危険性はさらに高まる。
【０００６】
本発明の目的は、鼻腔から鼻水や鼻血が垂れるのを効果的に抑制することができるとともに脱落しにくくすることができる鼻栓用キャップおよび鼻栓を提供することにある。
【課題を解決するための手段】
【０００７】
本発明の鼻栓用キャップは、鼻腔内に装着される、かつ、弾性材料からなる鼻栓用キャップであって、平板状のキャップ本体と、該キャップ本体の外縁の一部から延びた少なくとも１つの延出部とを備えることを特徴とする。
ここで、前記キャップ本体の平面形状が半楕円形であってもよい。
前記延出部の厚さが、前記キャップ本体の厚さよりも薄くてもよい。
前記キャップ本体の裏面に形成された摘み部をさらに備えてもよい。
前記キャップ本体に、該キャップ本体の厚さ方向に貫通する貫通孔が形成されていてもよい。
前記キャップ本体の表面に突起が形成されていてもよい。
前記キャップ本体の表面に凹凸が形成されていてもよい。
【０００８】
本発明の鼻栓は、本発明の鼻栓用キャップと、該鼻栓用キャップに先立って鼻腔内に挿入されるかつ液体吸収性を有する吸収体とを具備することを特徴とする。
【発明の効果】
【０００９】
本発明の鼻栓用キャップおよび鼻栓は、以下に示す効果を奏する。
（１）鼻栓用キャップのキャップ本体に設けた延出部が鼻腔の大鼻翼軟骨により生じる窪みに位置するように鼻栓用キャップを鼻腔内に挿入することにより、この窪みによって形成されるキャップ本体と鼻腔との間の隙間を延出部によって塞ぐことができるので、鼻腔から鼻水や鼻血が垂れるのを効果的に抑制することができる。
（２）鼻栓用キャップを弾性材料で構成しかつキャップ本体を平板状（好ましくは、キャップ本体の平面形状を半楕円形）とすることにより、鼻栓用キャップを容易に鼻腔内に挿入することができるとともに、鼻腔の入口（鼻孔）は鼻腔内の大きさよりも狭いので、鼻栓用キャップを鼻腔に挿入することにより鼻栓が鼻腔から脱落しにくくすることができる。
【発明を実施するための最良の形態】
【００１０】
鼻腔から鼻水や鼻血が垂れるのを効果的に抑制することができるとともに脱落するおそれをなくすという目的を、液体吸収性を有する吸収体を鼻腔内に挿入したのちに、平板状のキャップ本体とキャップ本体の外縁の一部から延びた少なくとも１つの延出部とを備えた鼻栓用キャップを鼻腔内に装着することにより実現した。
【実施例１】
【００１１】
以下、本発明の鼻栓用キャップおよび鼻栓の実施例について図面を参照して説明する。
まず、本発明の第１の実施例による鼻栓について図１乃至図３を参照して説明する。
本実施例による鼻栓１は、図１に示すように、鼻腔内に挿入される吸収体２と、鼻孔を塞ぐ鼻栓用キャップ３（本発明の第１の実施例による鼻栓用キャップ）とを具備する。
【００１２】
吸収体２は、鼻腔内に詰めて鼻水や鼻血を吸収するためのものである。したがって、吸収体２の部材としては、液体を吸収することができる部材であれば任意の部材を用いることができるが、吸収体２は鼻腔内に挿入されるものであるので、鼻腔内に挿入されたときに鼻腔の粘膜を刺激したり傷付けたりしないように、鼻腔内の形状に追従して容易に変形できる部材であることが望ましい。そこで、吸収体２の部材としては、コットンや不織布といった繊維の集合体やスポンジといった柔軟な多孔質体で構成される部材が好ましい。
【００１３】
吸収体２の形状は、特に限定されないが、球状、柱状、半円柱状などのように鼻腔に挿入し易い形状とするのが好ましいが、鼻腔への挿入時に挿入方向を考慮する必要がないことから、球状が特に好ましい。
吸収体２のサイズは、鼻腔のサイズに応じて適宜設定され、たとえば、吸収体２の形状を球状とした場合には、直径を８ｍｍ〜１５ｍｍとすることが好ましい。
吸収体２の色は、特に限定されないが、鼻腔内に挿入された状態で目立たないようにするために、黒色などに着色することが好ましい。
吸収体２を鼻腔内に挿入したときに使用者に爽快感を与えるようにするために、吸収体２にはペパーミントオイルなどの香料を適量だけ含浸させることが好ましい。
【００１４】
鼻栓用キャップ３は、鼻腔内に挿入された吸収体２を鼻腔内に保持するとともに、鼻腔の入口（鼻孔）を塞いで、吸収体２で吸収しきれない鼻水や鼻血が吸収体２や吸収体２と鼻腔との隙間から漏れ出すのを防止するためのものである。
【００１５】
鼻栓用キャップ３は、平板状のキャップ本体３ａと、キャップ本体３ａの外縁の一部からキャップ本体３ａとほぼ平行に延びた延出部３ｂと、キャップ本体３ａの裏面から突出して設けられた摘み部３ｃとを備える。
なお、本明細書においては、キャップ本体３ａの裏面とは、鼻栓用キャップ３を鼻腔内に装着したときに鼻腔の外側を向く面をいい、キャップ本体３ａの表面とは、裏面と反対側の面、すなわち、鼻栓用キャップ３を鼻腔内に装着したときに鼻腔の中を向く面をいう。
【００１６】
キャップ本体３ａは、楕円をその長軸で２等分した半楕円形またはそれに近似した平面形状を有している。キャップ本体３ａのこの形状は、小鼻の付け根から鼻先まで至る鼻腔の横断面の輪郭において、鼻の外側を通る輪郭はほぼ円弧状であるのに対して、鼻の中央側を通る輪郭はほぼ直線であるという鼻腔の横断面の形状に対応した形状である。なお、キャップ本体３ａの長手方向（キャップ本体３ａの元となる楕円形の長軸に沿った方向）の両端部は、鼻腔内を傷つけないように角を丸くした形状とされている。
【００１７】
キャップ本体３ａの厚さ（図２中の寸法Ｆ）は、鼻腔内に装着する際に鼻栓用キャップ３に作用する曲げ荷重に対して適度に変形し得る程度の曲げ強度など、鼻栓用キャップ３に必要な強度を確保できれば、できるだけ薄い方がよい。また、キャップ本体３ａの厚さが厚すぎると、鼻腔の奥のほうの粘膜がキャップ本体３ａによって刺激されて鼻水の分泌が促進される場合があるので、キャップ本体３ａの厚さは、２〜４ｍｍとすることが好ましい。
なお、吸収体２は鼻栓用キャップ３よりも鼻腔の奥に挿入されるが、吸収体２は上述したように鼻腔の粘膜を刺激しにくい材料（部材）で構成されるので、吸収体２によって鼻水の分泌が促進されることはない。
【００１８】
延出部３ｂは、キャップ本体３ａの長手方向の一方の端部に位置している。また、延出部３ｂは、その表面がキャップ本体３ａの表面と同一平面となるように設けられているが、キャップ本体３ａの厚さ方向のどの位置に設けられてもよい。
上述したようなキャップ本体３ａの形状に由来して、鼻栓用キャップ３を鼻腔内に装着したとき、鼻腔は鼻栓用キャップ３によってほぼ塞がれる。ただし、鼻の構造上、鼻腔内には大鼻翼軟骨により生じる窪みがある。したがって、キャップ本体３ａの形状を上記のような半楕円形といった単純な形状としただけでは、この窪みから鼻水や鼻血が漏れるおそれがある。延出部３ｂは、この窪みからの鼻水や鼻血の漏れを防止するためのものである。また、鼻腔内の窪みは鼻先へ向かって細くなっているため、延出部３ｂの平面形状も、この窪みの形状に対応して、キャップ本体３ａとの付け根から先端に向かって幅（キャップ３の長手方向と直角な方向の寸法、図１中の寸法Ｄ）が小さくなるような形状となっている。
【００１９】
延出部３ｂは、鼻腔内への挿入性を考慮して、キャップ本体３ａと略相似な形状をキャップ本体３ａの一方の端部にキャップ本体３ａと部分的に重ね合わせることによって得られる形状、言い換えれば、キャップ本体３ａの半楕円形への切断線に相当する直線部分を延長し、その先端から弧を描いてキャップ本体３ａへ戻る輪郭を有する形状としている。
また、延出部３ｂの先端は角になっているが、この部分は丸み付けされていてもよい。なお、鼻栓用キャップ３の材質を十分に柔軟なゴムあるいはエラストマーとするとともに、延出部３ｂの厚さを１ｍｍ程度とすれば、延出部３ｂの先端を丸めなくても鼻腔を傷付けることはない。
【００２０】
延出部３ｂの形状は、このような形状に限られるものではなく、たとえば、全体が曲線で構成された平面形状を有していてもよい。また、延出部３ｂは、キャップ本体３ａの半楕円形への切断線に相当する直線部分から突出するかつ平面形状が半楕円形の突出部（幅が２ｍｍ程度）を有するようにしてもよい。
延出部３ｂの厚さ（図２中の寸法Ｈ）は、大鼻翼軟骨により生じる窪みの大きさの個人差に柔軟に対応するように強度を弱めるために、キャップ本体３ａの厚さ（図２中の寸法Ｆ）よりも薄くしている。
延出部３ｂの幅（図１中の寸法Ｄ）は、鼻栓用鼻腔内へのキャップ３の挿入をスムーズに行えるように、キャップ本体３ａの幅（図１中の寸法Ａ）の２／３以下とすることが好ましい。
また、延出部３ｂの長さ（図１中の寸法Ｅ）も、同様の観点から、キャップ本体３ａの長さ（図１中の寸法Ｃ）の２／３以下であることが好ましい。
【００２１】
摘み部３ｃは、鼻栓用キャップ３を鼻腔へ挿入する際や鼻腔から取り出す際の摘みとなる部分である。摘み部３ｃの形状や大きさは任意である。
【００２２】
鼻腔のサイズは、年齢、性別、体型などによって異なる。吸収体２は、コットンやスポンジで構成すれば多少のサイズの違いにも対応できるが、鼻栓用キャップ３は、エラストマーやシリコーンゴムなどで構成されるので、吸収体２ほどの寸法追従性は期待できない。そこで、鼻栓用キャップ３のサイズも鼻腔に応じたサイズとされる。以下に、図１および図２に示す鼻栓用キャップ３の好ましい寸法を表１に示す。
【表１】
2007082951.tif 000003
【００２３】
ただし、実際には各個人に合わせて鼻栓用キャップ３を作製するのは困難であるので、表２に示すように、たとえば３種類のサイズを用意する。
【表２】
2007082951.tif 000004
【００２４】
表２に示した各サイズにおいて、キャップ本体３ａの厚さ（図１の寸法Ｆ）、延出部３ｂの厚さ（図１の寸法Ｈ）および摘み部３ｃの厚さ（図１の寸法Ｇ）は、３ｍｍ、１ｍｍおよび３ｍｍとする。
【００２５】
鼻栓用キャップ３を構成するキャップ本体１３ａ、延出部３ｂおよび摘み部３ｃは、熱可塑性エラストマーまたはシリコーンゴムなどのような液体を浸透させない弾性材料によって一体成形されている。
鼻栓用キャップ３の色は、鼻栓用キャップ３が鼻腔内に挿入されるものであることから、黒色などのような鼻腔内に挿入された状態で目立たない色とすることが好ましい。
【００２６】
次に、鼻栓１の装着手順について説明する。
まず、吸収体２を一方の鼻腔に挿入する。このとき、吸収体２の挿入は、ピンセットを用いて行ってもよいし、清潔な手で直接行ってもよい。
【００２７】
その後、吸収体２が挿入された鼻腔内に鼻栓用キャップ３を挿入するが、図３（ａ）に示すように、鼻栓用キャップ３を延出部３ｂ側から鼻腔に挿入していく。そして、延出部３ｂを鼻先の内側に押し当て、その状態でキャップ本体３ａを鼻腔内に挿入する。これで鼻栓用キャップ３の装着が完了する。鼻栓用キャップ３が鼻腔に装着された状態では、図３（ｂ）に示すように、キャップ本体３ａの外周部および延出部３ｂは鼻腔の中に隠れていて外からは見えない。すなわち、延出部３ｂは、鼻腔内の大鼻翼軟骨により生じる窪みに位置する。
【００２８】
このようにして一方の鼻腔に鼻栓１を装着すると、同様の手順により他方の鼻腔に他の鼻栓１を装着する。
【００２９】
このように、本実施例による鼻栓１では、鼻栓用キャップ３を弾性材料で構成して鼻腔内から鼻孔を塞ぐように構成することにより、粘着材を用いることなく、より確実に鼻栓用キャップ３を固定することができる。
また、キャップ本体３ａから延びた延出部３ｂが大鼻翼軟骨により生じる窪みを塞ぐので、この窪みでの鼻栓用キャップ３と鼻腔との隙間からの鼻水や鼻血の漏れを抑制することができる。
さらに、延出部３ｂが大鼻翼軟骨により生じる窪みを塞ぐことによって、鼻栓用キャップ３による鼻腔の密封性が向上する。このことは、鼻水の分泌量を抑制する効果も発揮する。鼻水の分泌量は、分泌線が空気に触れる量を少なくすることにより軽減されると言われており、延出部３ｂによって鼻腔の密封性が向上することにより、分泌線が空気と接触するのをより効果的に抑制することができるからである。
【００３０】
次に、鼻栓１の取出手順について説明する。
鼻腔に装着した鼻栓１の取出しは、上述した装着手順の逆を行えばよい。すなわち、まず、鼻栓用キャップ３を鼻腔から取り出したのち、吸収体２を鼻腔から取り出す。
ここで、鼻栓用キャップ３の取出しは、鼻栓用キャップ３の摘み部３ｃを指またはピンセットなどで摘んで行うことができる。また、吸収体２の取出しは、ピンセットなどを用いて行うことができる。
なお、取出した吸収体２は、鼻水や鼻血が浸透しているので廃棄するが、鼻栓用キャップ３は、廃棄してもよいし、洗浄して再使用してもよい。
【実施例２】
【００３１】
次に、本発明の第２の実施例による鼻栓について図４を参照して説明する。
本実施例による鼻栓は、図４（ａ），（ｂ）に示すように、鼻栓用キャップ１３のキャップ本体１３ａの平面形状が円形または楕円形である点と、鼻栓用キャップ１３の延出部１３ｂの平面形状が円形または楕円形である点とで、図１に示した第１の実施例による鼻栓１と異なる。
【００３２】
すなわち、鼻栓用キャップ１３のキャップ本体１３ａは、鼻孔の近傍で鼻腔内に保持されることができるように、鼻孔の輪郭よりも大きい円形または楕円形の平面形状を有している。
なお、キャップ本体１３ａの平面形状を円形とする場合には、鼻の外側を通る輪郭側の部分は完全な半円形であることが好ましいが、鼻の中央側を通る輪郭側の部分は完全な半円形である必要は必ずしもなくて半楕円形であってもよい。
【００３３】
表３に、キャップ本体１３ａの平面形状を楕円形とした場合の鼻栓用キャップ１３の各部の寸法の一例を示す。
なお、表３において、寸法Ａは、鼻栓を鼻腔内に装着した状態でのキャップ本体１３ａの鼻の幅方向に相当する長さ、寸法Ｂは、キャップ本体１３ａの鼻の高さ方向に相当する長さ、寸法Ｃは、キャップ本体１３ａからの延出部１３ｂの延出長さをそれぞれ示す（図４（ａ）参照）。
【表３】
2007082951.tif 000005
【実施例３】
【００３４】
次に、本発明の第３の実施例による鼻栓について図５を参照して説明する。
本実施例による鼻栓は、図４に示した鼻栓用キャップ１３の代わりに、図５に示すようにキャップ本体２３ａから延びた２つの延出部２３ｂを備えた鼻栓用キャップ２３（本発明の第３の実施例による鼻栓用キャップ）を具備する点で、図４に示した第２の実施例による鼻栓と異なる。
ここで、２つの延出部２３ｂは、キャップ本体２３ａを中心に左右対称となる位置に設けられており、鼻栓用キャップ２３全体の形状としても左右対称となっている。
【００３５】
鼻栓用キャップ２３は、２つの延出部２３ｂを備えるので、鼻栓用キャップ２３を鼻腔内に挿入する際に、２つの延出部２３ｂのうちの一方を鼻腔内の大鼻翼軟骨により生じる窪みに向ければよいため、鼻栓用キャップ２３を挿入する向きの自由度を図４に示した鼻栓用キャップ１３よりも向上させることができる。また、２つの延出部２３ｂを左右対称に設けることにより、鼻栓用キャップ２３を鼻腔内に挿入する際に鼻栓用キャップ２３の左右の向きを考慮せずに挿入することができる。
【００３６】
２つの延出部２３ｂのうちの一方は、鼻栓用キャップ２３を鼻腔内に挿入した状態では、鼻中隔と反対側に位置することになるが、鼻栓用キャップ２３は弾性材料で形成されているので、この延出部２３ｂを折り曲げた状態のまま鼻腔内に装着することができるので、特に問題はない。
【００３７】
なお、キャップ本体２３ａに対する２つの延出部２３ｂの位置や２つの延出部２３ｂの相互の位置関係は、図５に示したものに限られず、任意である。また、延出部２３ｂの数は、３つ以上であってもよい。
【実施例４】
【００３８】
次に、本発明の第４の実施例による鼻栓について図６を参照して説明する。
本実施例による鼻栓は、図４に示した鼻栓用キャップ１３の代わりに、図６に示すようにキャップ本体３３ａにその厚さ方向に貫通する貫通孔３３ｃが形成されており、また、摘み部３３ｃを備えていない鼻栓用キャップ３３（本発明の第４の実施例による鼻栓用キャップ）を具備する点で、図４に示した第２の実施例による鼻栓と異なる。
【００３９】
キャップ本体３３ａの厚さ方向に貫通する貫通孔３３ｃは、鼻腔内に装着された鼻栓用キャップ３３を吸収体２（図１参照）と一緒に取り出すのに利用される。具体的には、鼻栓用キャップ３３を鼻腔から取り出す際に、貫通孔３３ｃを通して吸収体２をピンセットなどで摘んで引っ張り出すことにより、吸収体２と鼻栓用キャップ３３とを一緒に取り出す。つまり、貫通孔３３ｃは、取出し用構造として機能する。
【００４０】
このように、取出し用構造として貫通孔３３ｃを鼻栓用キャップ３３に設けた構造とすることで、より簡単に吸収体２と鼻栓（鼻栓用キャップ３３）とを鼻腔から取り出すことができる。
【実施例５】
【００４１】
次に、本発明の第５の実施例による鼻栓について図７を参照して説明する。
本実施例による鼻栓は、図４に示した鼻栓用キャップ１３の代わりに、図７に示すようにキャップ本体４３ａの表面に形成されたピン状の突起４３ｄをさらに備えた鼻栓用キャップ４３（本発明の第５の実施例による鼻栓用キャップ）を具備する点で、図４に示した第２の実施例による鼻栓と異なる。
ここで、突起４３ｄは、鼻栓用キャップ４３の他の構造と同様に、キャップ本体４３ａと一体成形によって形成することができる。
【００４２】
突起４３ｄは、吸収体２を鼻腔内に挿入する前に吸収体２に差し込まれる。これによって、吸収体２は鼻栓用キャップ４３に保持される。鼻栓用キャップ４３は、吸収体２を保持した状態で鼻腔内に装着される。このように、鼻栓用キャップ４３に吸収体２を保持する構造を設けることで、鼻腔内への挿入動作を１回で済ませることができるようになる。
【００４３】
突起４３ｄの高さは、鼻栓用キャップ４３を鼻腔内に装着したときに違和感を生じさせないように、吸収体２を保持することができる範囲であれば、できるだけ低いことが好ましく、具体的には４ｍｍ程度とされる。
【実施例６】
【００４４】
次に、本発明の第６の実施例による鼻栓について図８を参照して説明する。
本実施例による鼻栓は、図４に示した鼻栓用キャップ１３の代わりに、図８に示すようにキャップ本体５３ａの表面に形成された多数の凹凸５３ｄをさらに備えた鼻栓用キャップ５３（本発明の第６の実施例による鼻栓用キャップ）を具備する点で、図４に示した第２の実施例による鼻栓と異なる。
ここで、多数の凹凸５３ｄは、鼻栓用キャップ５３の他の構造と同様に、キャップ本体５３ａと一体成形によって形成することができる。
【００４５】
吸収体２は、鼻腔内に挿入する前に鼻栓用キャップ５３の多数の凹凸５３ｄ上に置かれる。これによって、吸収体２は鼻栓用キャップ５３に保持される。鼻栓用キャップ５３は、吸収体２を保持した状態で鼻腔内に装着される。このように、本実施例による鼻栓用キャップ５３においても、鼻栓用キャップ５３の鼻腔内への挿入動作を１回で済ませることができる。
【図面の簡単な説明】
【００４６】
【図１】本発明の第１の実施例による鼻栓の平面図である。
【図２】図１に示した鼻栓用キャップ３の構成を示す側面図である。
【図３】図１に示した鼻栓１の装着手順を示す図である。
【図４】本発明の第２の実施例による鼻栓用キャップの構成を示す図であり、（ａ）は平面図、（ｂ）は側面図である。
【図５】本発明の第３の実施例による鼻栓用キャップの平面図である。
【図６】本発明の第４の実施例による鼻栓用キャップを示す図であり。（ａ）は平面図、（ｂ）は（ａ）のＸ−Ｘ線断面図である。
【図７】本発明の第５の実施例による鼻栓用キャップの側面図である。
【図８】本発明の第６の実施例による鼻栓用キャップの側面図である。
【符号の説明】
【００４７】
１  鼻栓
２  吸収体
３，１３，２３，３３，４３，５３  鼻栓用キャップ
３ａ，１３ａ，２３ａ，３３ａ，４３ａ，５３ａ  キャップ本体
３ｂ，１３ｂ，２３ｂ，２３ｃ  延出部
３ｃ，１３ｃ  摘み部
３３ｃ  貫通孔
４３ｄ  突起
５３ｄ  凹凸
【図１】
2007082951.tif 000006
【図２】
2007082951.tif 000007
【図３】
2007082951.tif 000008
【図４】
2007082951.tif 000009
【図５】
2007082951.tif 000010
【図６】
2007082951.tif 000011
【図７】
2007082951.tif 000012
【図８】
2007082951.tif 000013